【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
毛髪染料混合物の個々のバッチサイジングされた量を生成するためのひとつ以上の毛髪染料材料および対応する推奨量を定義するフォーミュラのバッチサイジング方法であって
プロセッサと、ひとつ以上の着色剤及び／又は染料調合材量及び毛髪染料混合物の推奨量を用いて毛髪染料混合物を調合するための命令を定義するフォーミュラを受けるよう構成されているソフトウエアを有するコンピュータ読み取り可能なメモリと、ディスプレイと、を少なくとも有する制御システムを提供する段階と、
複数のバッチサイジング調整条件を表示する段階であって、ここではバッチサイジング調整条件はそれぞれフォーミュラの総量を定義する、段階と、
髪の特徴を含む前記複数のバッチサイジング調整条件の一つを選択するユーザー入力を受信する段階と、
を含み、
前記制御システムによって受信された入力が前記フォーミュラによって生成された標準的なバッチサイジングされた量と異なる個々のバッチサイジングされた量を示すとき、前記制御システムが前記毛髪染料混合物に関するバッチサイジング情報を計算し、前記毛髪染料混合物に関する計算されたバッチサイジング情報を前記ディスプレイに表示する、方法。
【請求項２】
請求項1の方法で、前記バッチサイジング調整条件が、前記ディスプレイ上の複数の調整ボックスを含む。
【請求項３】
請求項2の方法で、前記調整ボックスは前記ディスプレイ上のXとYのマトリックスによってアレンジされる。
【請求項４】
請求項1の方法で、前記制御システムがハンドヘルドPDA、携帯電話、ラップトップコンピューター、およびPCコンピューターの一つに組み入れられる。
【請求項５】
請求項1の方法で、前記バッチサイジング調整条件がカスタマー用のフォーミュラの使用に関する質問を少なくともひとつ有する。
【請求項６】
請求項1の方法で、前記バッチサイジング調整条件がカスタマーの髪のタイプに関する質問を少なくともひとつ有する。
【請求項７】
請求項1の方法で、前記バッチサイジング調整条件がカスタマーの髪の長さに関する質問を少なくともひとつ有する。
【請求項８】
毛髪染料混合物の個々のバッチサイジングされた量を生成するためのひとつ以上の毛髪染料材料および対応する推奨量を定義するフォーミュラのバッチサイジング方法であって
プロセッサと、ひとつ以上の着色剤及び／又は染料調合材量及び毛髪染料混合物の推奨量を用いて毛髪染料混合物を調合するための命令を定義するフォーミュラを受けるよう構成されているソフトウエアを有するコンピュータ読み取り可能なメモリと、ディスプレイと、を少なくとも有する制御システムを提供する段階であって、調整ボックスのマトリックス内で複数のバッチサイジング調整条件を表示し、前記複数のバッチサイジング調整条件のそれぞれがフォーミュラの量を定義する、段階と、
髪の特徴を含む前記複数のバッチサイジング調整条件のうち一つを選択する入力を受ける段階と、
を含み、
前記制御システムによって受信された入力が前記フォーミュラによって生成された標準的なバッチサイジングされた量と異なる個々のバッチサイジングされた量を示すとき、前記制御システムが前記毛髪染料混合物に関するバッチサイジング情報を計算し、前記毛髪染料混合物に関する計算されたバッチサイジング情報を前記ディスプレイに表示する、方法。
【請求項９】
請求項8の方法で、前記制御システムがハンドヘルドPDA、携帯電話、ラップトップコンピューター、およびPCコンピューターの一つに組み入れられる。
【請求項１０】
フォーミュラとは手作業で毛髪染料混合物の個々のバッチサイジングされた量を生成するためのひとつ以上の毛髪染料材料および対応する推奨量を定義するフォーミュラのバッチサイジングのための装置であって、
プロセッサと、ひとつ以上の着色剤及び／又は染料調合材量及び毛髪染料混合物の推奨量を用いて毛髪染料混合物を調合するための命令を定義するフォーミュラを受けるよう構成されているソフトウエアを有するコンピュータ読み取り可能なメモリと、ディスプレイと、を少なくとも有する制御システムを備え、
前記ソフトウエアが、
複数のバッチサイジング調整条件を表示するように設定される第一のコンポーネントであって、バッチサイジング調整条件のそれぞれが前記フォーミュラの量を定義する、第一のコンポーネントと、
髪の特徴を含む前記複数のバッチサイジング調整条件の一つの入力選択を受けるように設定されている第二のコンポーネントと、
を含み、
前記制御システムによって受信された入力が前記フォーミュラによって生成された標準的なバッチサイジングされた量と異なる個々のバッチサイジングされた量を示すとき、前記制御システムが前記毛髪染料混合物に関するバッチサイジング情報を計算し、前記毛髪染料混合物に関する計算されたバッチサイジング情報を前記ディスプレイに表示する、装置。
【請求項１１】
請求項10の装置で、前記バッチサイジング調整条件が前記ディスプレイ上のマトリックス内の複数の調整ボックスを含む。
【請求項１２】
請求項10の装置で、前記制御システムがハンドヘルドPDA,携帯電話、ラップトップコンピューター、およびPCコンピューターの一つに組み入れられる。
【請求項１３】
毛髪染料混合の個々のバッチサイジングされた量を生成するためのひとつ以上の毛髪染料材料および対応する推奨量を定義するフォーミュラのバッチサイジングのための装置であって、
プロセッサと、一つ以上の着色剤及び／又は染料調合材量及び毛髪染料混合物の推奨量を用いて毛髪染料混合物を調合するための命令を定義するフォーミュラを受けるよう構成されているソフトウエアを有するコンピュータ読み取り可能なメモリと、ディスプレイと、を少なくとも有する制御システムであって、複数のバッチサイジング調整条件を表示するよう構成され、前記バッチサイジング調整条件のそれぞれは前記フォーミュラの量を定義する、制御システムと、
髪の特徴を含む前記複数のバッチサイジング調整条件の一つ以上の入力を受けるように構成されているユーザインプット装置と、
を備え、
前記制御システムによって受信された入力が前記フォーミュラによって生成された標準的なバッチサイジングされた量と異なる個々のバッチサイジングされた量を示すとき、前記制御システムが前記毛髪染料混合物に関するバッチサイジング情報を計算し、前記毛髪染料混合物に関する計算されたバッチサイジング情報を前記ディスプレイに表示する、装置。
【請求項１４】
請求項13の装置で、前記バッチサイジング調整条件が一連の質問を含む。
【請求項１５】
請求項13の装置で、前記バッチサイジング調整条件が前記ディスプレイ上のマトリックス内の複数の調整ボックスを含む。
【請求項１６】
請求項13の装置で、前記バッチサイジング調整条件がカスタマーのフォーミュラの使用に関する質問を少なくともひとつ含む。
【請求項１７】
請求項13の装置で、前記バッチサイジング調整条件がカスタマーの髪のタイプに関する質問を少なくともひとつ含む。
【請求項１８】
請求項13の装置で、前記バッチサイジング調整条件がカスタマーの髪の長さに関する質問を少なくともひとつ含む。
【請求項１９】
毛髪染料混合物の個々のバッチサイジングされた量を生成するためのひとつ以上の毛髪染料材料および対応する推奨量を定義するフォーミュラのバッチサイジング方法であって、
複数のバッチサイジング調整条件を提示する段階と、
髪の特徴を含む前記前記複数のバッチサイジング調整条件のうち一つを選択する入力を受ける段階と、
前記制御システムによって受信された入力が前記フォーミュラによって生成された標準的なバッチサイジングされた量と異なる個々のバッチサイジングされた量を示すとき、前記制御システムが前記毛髪染料混合物に関するバッチサイジング情報を計算し、前記毛髪染料混合物に関する計算されたバッチサイジング情報を前記ディスプレイに表示する、方法。
【請求項２０】
請求項19の方法で、前記バッチサイジング調整条件が、前記ディスプレイ上にパターン状にアレンジされた複数の調整ボックスを含む。